(57)【要約】【課題】容器の振り出し部が繋ぎ目で繋がっている場合、振り出し部を回動させる振り出し行為を行う際に、円滑に繋ぎ部が切れ、振り出し容器が紙製の容器の場合には回動力が振り出し部に集中して振り出し部が破れたり、振り出し口が破れてしまう等の問題を解消する。【解決手段】右側面板１、左側面板２、背面板１１、正面板１２、外背面板１３の各上端部の開封用蓋側板１ａ、２ａ、開封用蓋正面板１２ａ、折曲用背面板１１ａ、１３ａからなる蓋部を、折曲用背面板１１ａ、１３ａの下端部の横折目ｉをヒンジとして回動させ、前記正面板１２の繋ぎ部１２ｃを切り離すとともに、外正面板１４に被覆されている正面板１２の振り出し口１７を露呈させて開封し、内容物を振り出しする。【選択図】図４
2010222026.tif 000002
【特許請求の範囲】
【請求項１】
背面板１１、右側面板１、正面板１２、左側面板２、前記背面板１１の外面に重合する外背面板１３、前記右側面板１の外面に重合する外右側面板３、前記正面板１２の外面に重合する外正面板１４、前記左側面板２の外面に重合する外左側面板４、貼着板１６が、各々平行な縦折目を介して縦長に連設され、前記背面板１１と外背面板１３の各々上端部領域に横折目を介して折曲用背面板１１ａ、１３ａが連設され、前記右側面板１、正面板１２、左側面板２、折曲用背面板１３ａの各々上端に前記折曲用背面板１１ａ上端と同位の横折目を介して各々蓋板１ｂ、１２ｂ、２ｂ、１３ｂからなる蓋部が連設され、前記外背面板１３、外右側面板３、外正面板１４の各々下端に横折目を介して各々底板１３ｃ、３ｃ、１４ｃからなる底部が連設され、前記背面板１１、右側面板１、正面板１２、左側面板２、外背面板１３、外右側面板３、外正面板１４、外左側面板４を縦折目を介して筒状に折り立て、重合する折曲用背面板１１ａ、１３ａ、左側面板２、外左側面板４を貼着し、底板と蓋板とを横折目を介して折り曲げて形成される角筒状容器において、正面板１２の上部領域に外正面板１４にて被覆された振り出し口１７が形成され、前記右側面板１と左側面板２の各々両側折目に沿って又はそれら折目に平行に、前記折曲用背面板１１ａ、１３ａ下端の横折目と略同高部位置から正面板１２中間位置まで、各々縦切込線ｐ、ｐ、ｎ、ｎが設けられ、前記右側面板１と左側面板２には、前記各縦切込線ｐ、ｐの下端から縦切込線ｎ、ｎの下端まで横方向に横切込線ｏ、ｏが、前記振り出し口１７内の上部と略同高部位置の前記縦切込線ｐ、ｐ上から横切込線ｏ、ｏ上まで下方に拡がる各々傾斜切込線１５ａ、１５ａが設けられて、前記縦切込線ｐ、横切込線ｏ、傾斜切込線１５ａによる各々切り抜き部１５、１５が形成され、前記正面板１２の横切込線ｏ、ｏより下部領域には該横切込線ｏ、ｏから連続して形成された繋ぎ部１２ｄが形成され、前記右側面板１、左側面板２、背面板１１、正面板１２、外背面板１３の各々領域上部には開封用蓋側板１ａ、２ａ、開封用蓋正面板１２ａ、折曲用背面板１１ａ、１３ａを備え、前記開封用蓋側板１ａ、２ａと開封用蓋正面板１２ａと折曲用背面板１１ａ、１３ａとからなる蓋部を、前記折曲用背面板１１ａ、１３ａ下端にある横折目をヒンジとして回動させて、前記正面板１２の繋ぎ部１２ｄを切り離すとともに、外正面板１４に被覆されている正面板１２の振り出し口１７を露呈させて開封し振り出しできるようにしたことを特徴とする振り出し容器。
【請求項２】
背面板１１、右側面板１、正面板１２、左側面板２、前記背面板１１の外面に重合する外背面板１３、前記右側面板１の外面に重合する外右側面板３、前記正面板１２の外面に重合する外正面板１４、前記左側面板２の外面に重合する外左側面板４が、各々平行な縦折目を介して縦長に連設され、前記背面板１１と外背面板１３の各々領域上端部に横折目を介して折曲用背面板１１ａ、１３ａが連設され、前記右側面板１、正面板１２、左側面板２、折曲用背面板１３ａの各々上端に前記折曲用背面板１１ａ上端と同位の横折目を介して各々蓋板１ｂ、１２ｂ、２ｂ、１３ｂからなる蓋部が連設され、前記外背面板１３、外右側面板３、外正面板１４の各々下端に横折目を介して各々底板１３ｃ、３ｃ、１４ｃからなる底部が連設され、前記背面板１１、右側面板１、正面板１２、左側面板２、外背面板１３、外右側面板３、外正面板１４、外左側面板４を縦折目を介して筒状に折り立て、重合する折曲用背面板１１ａ、１３ａ、左側面板２、外左側面板４を貼着し、底板と蓋板とを横折目を介して折り曲げて形成される角筒状容器において、正面板１２の上部領域に外正面板１４にて被覆された振り出し口１７が形成され、前記正面板１２を挟んで両側折目ａ、ｂに沿って、前記折曲用背面板１１ａ、１３ａ下端の横折目と略同高部位置から正面板１２中間位置まで、各々縦切込線ｐ、ｐが設けられ、前記右側面板１の片外側折目ｇに沿って折曲用背面板１１ａ下端の横折目と略同高部位置から正面板１２中間位置まで縦切込線ｎが設けられ、前記左側面板２の片外側折目ｃに平行に該左側面板２領域側に、折曲用背面板１３ａ下端の横折目と略同高部位置から正面板１２中間位置まで、前記左側面板２と外左側面板４との貼着領域１８形成用の縦切込線ｑが設けられ、前記右側面板１と左側面板２には、前記各縦切込線ｐ、ｐの下端から各縦切込線ｎ、ｑの下端まで横方向に横切込線ｏ、ｏが、前記振り出し口１７内の上部と略同高部位置の前記縦切込線ｐ、ｐ上から横切込線ｏ、ｏ上まで下方に拡がる各々傾斜切込線１５ａ、１５ａが設けられて、前記縦切込線ｐ、横切込線ｏ、傾斜切込線１５ａによる各々切り抜き部１５、１５が形成され、前記正面板１２の横切込線ｏ、ｏより下部領域には該横切込線ｏ、ｏから連続して形成された繋ぎ部１２ｄが形成され、前記右側面板１、左側面板２、背面板１１、正面板１２、外背面板１３の各々領域上部には開封用蓋側板１ａ、２ａ、開封用蓋正面板１２ａ、折曲用背面板１１ａ、１３ａを備え、前記開封用蓋側板１ａ、２ａと開封用蓋正面板１２ａと折曲用背面板１１ａ、１３ａとからなる蓋部を、前記折曲用背面板１１ａ、１３ａ下端にある横折目をヒンジとして回動させて、前記正面板１２の繋ぎ部１２ｄを切り離すとともに、外正面板１４に被覆されている正面板１２の振り出し口１７を露呈させて開封し振り出しできるようにしたことを特徴とする振り出し容器。
【請求項３】
前記繋ぎ部１２ｄは、各々前記横切込線ｏ、ｏの端部から連続する直線状、屈曲状、又は湾曲状のそれぞれ切込線１２ｃ、１２ｃが下向きに互いに交差する方向に傾斜して形成され、その各々切込線の下端部は互いに交差乃至接続せずに僅かな間隙として形成され、各々切込線の下端部先端は、互いに水平方向に上下に対向する状態に形成されていることを特徴とする請求項１又は２記載の振り出し容器。
【請求項４】
前記右側面板１と左側面板２の各々領域上部に備える各々開封用蓋側板１ａ、２ａを構成する前記各傾斜切込線１５ａ、１５ａの線上の途中に、突起部１５ｄを備え、前記右側面板１、左側面板２、正面板１２、外背面板１３の各上端部の開封用蓋側板１ａ、２ａ、開封用蓋正面板１２ａを持ち、前記折曲用背面板１１と外背面板１３の上端部の横折目をヒンジとして回動させて、前記正面板１２の繋ぎ部１２ｄを切り離すとともに、外正面板１４に被覆されている正面板１２の振り出し口１７を露呈させて開封した際に、前記突起部１５ｄが前記外正面板１４の上端縁１４ｂ上に突出し、前記開封用蓋側板１ａ、２ａ、開封用蓋正面板１２ａが係止して、振り出しできるようにしたことを特徴とする請求項１乃至３のいずれか１項記載の振り出し容器。
【請求項５】
前記突起部１５ｄの突起先端部は角丸形状であることを特徴とする請求項４記載の振り出し容器。
【発明の詳細な説明】
【技術分野】
【０００１】
本発明は、粒状菓子、錠剤等を包装する容器であって、振り出し口を備えた振り出し容器に関する。
【背景技術】
【０００２】
一般に、粒状菓子、錠剤等の内容物を充填包装した振り出し容器は、容器を振るようにして内容物を取り出すための振り出し部を備え、振り出し部を回動させて、容器内に連通している隠れている振り出し口を容器の外側に露呈させ、内容物であるチョコレート、飴等を、その振り出し口から振り出すという行為が行われる。初めに振り出し行為を行う前は、振り出し部は、その容器の他の部分と繋がっている。
【０００３】
これは、容器の不正開封を防止したり、また、不正開封が行われた場合に、正規の購入者に不正開封がされていることを認識させようにするものであり、さらに、振り出し部が繋がっていない場合に、搬送時や販売時に傾けると振り出し部が回動して振り出し口が外側に現出してしまい、内容物が排出される場合があった。
【先行技術文献】
【特許文献】
【０００４】
【特許文献１】実公昭６０−１６５０１号公報
【特許文献２】実開平６−６１７１５号公報
【発明の概要】
【発明が解決しようとする課題】
【０００５】
しかしながら、容器の振り出し部が上記のように繋ぎ目で繋がっている場合において、振り出し部を回動させる振り出し行為を行う際に、意に反して、繋ぎ部が切れずに回動できない場合があった。また、振り出し容器が紙製の容器の場合には、繋ぎ部が切れても回動する力が振り出し部に集中して掛かってしまい、振り出し部が破れて、振り出し行為に支障をきたしたり、内容物振り出し用の振り出し口が破れてしまう等の問題が生じる場合があった。本発明の課題は、振り出し口を備えた、特に紙製の振り出し容器において、このような問題を解消することにある。
【課題を解決するための手段】
【０００６】
本発明の請求項１に係る発明は、図１に示すように、背面板１１、右側面板１、正面板１２、左側面板２、前記背面板１１の外面に重合する外背面板１３、前記右側面板１の外面に重合する外右側面板３、前記正面板１２の外面に重合する外正面板１４、前記左側面板２の外面に重合する外左側面板４、貼着板１６が、各々平行な縦折目を介して縦長に連設され、前記背面板１１と外背面板１３の各々上端部領域に横折目を介して折曲用背面板１１ａ、１３ａが連設され、前記右側面板１、正面板１２、左側面板２、折曲用背面板１３ａの各々上端に前記折曲用背面板１１ａ上端と同位の横折目を介して各々蓋板１ｂ、１２ｂ、２ｂ、１３ｂからなる蓋部が連設され、前記外背面板１３、外右側面板３、外正面板１４の各々下端に横折目を介して各々底板１３ｃ、３ｃ、１４ｃからなる底部が連設され、前記背面板１１、右側面板１、正面板１２、左側面板２、外背面板１３、外右側面板３、外正面板１４、外左側面板４を縦折目を介して筒状に折り立て、重合する折曲用背面板１１ａ、１３ａ、左側面板２、外左側面板４を貼着し、底板と蓋板とを横折目を介して折り曲げて形成される角筒状容器において、正面板１２の上部領域に外正面板１４にて被覆された振り出し口１７が形成され、前記右側面板１と左側面板２の各々両側折目に沿って又はそれら折目に平行に、前記折曲用背面板１１ａ、１３ａ下端の横折目と略同高部位置から正面板１２中間位置まで、各々縦切込線ｐ、ｐ、ｎ、ｎが設けられ、前記右側面板１と左側面板２には、前記各縦切込線ｐ、ｐの下端から縦切込線ｎ、ｎの下端まで横方向に横切込線ｏ、ｏが、前記振り出し口１７内の上部と略同高部位置の前記縦切込線ｐ、ｐ上から横切込線ｏ、ｏ上まで下方に拡がる各々傾斜切込線１５ａ、１５ａが設けられて、前記縦切込線ｐ、横切込線ｏ、傾斜切込線１５ａによる各々切り抜き部１５、１５が形成され、前記正面板１２の横切込線ｏ、ｏより下部領域には該横切込線ｏ、ｏから連続して形成された繋ぎ部１２ｄが形成され、前記右側面板１、左側面板２、背面板１１、正面板１２、外背面板１３の各々領域上部には開封用蓋側板１ａ、２ａ、開封用蓋正面板１２ａ、折曲用背面板１１ａ、１３ａを備え、前記開封用蓋側板１ａ、２ａと開封用蓋正面板１２ａと折曲用背面板１１ａ、１３ａとからなる蓋部を、前記折曲用背面板１１ａ、１３ａ下端にある横折目をヒンジとして回動させて、前記正面板１２の繋ぎ部１２ｄを切り離すとともに、外正面板１４に被覆されている正面板１２の振り出し口１７を露呈させて開封し振り出しできるようにしたことを特徴とする振り出し容器である。
【０００７】
本発明の請求項２に係る発明は、図３に示すように、背面板１１、右側面板１、正面板１２、左側面板２、前記背面板１１の外面に重合する外背面板１３、前記右側面板１の外面に重合する外右側面板３、前記正面板１２の外面に重合する外正面板１４、前記左側面板２の外面に重合する外左側面板４が、各々平行な縦折目を介して縦長に連設され、前記背面板１１と外背面板１３の各々領域上端部に横折目を介して折曲用背面板１１ａ、１３ａが連設され、前記右側面板１、正面板１２、左側面板２、折曲用背面板１３ａの各々上端に前記折曲用背面板１１ａ上端と同位の横折目を介して各々蓋板１ｂ、１２ｂ、２ｂ、１３ｂからなる蓋部が連設され、前記外背面板１３、外右側面板３、外正面板１４の各々下端に横折目を介して各々底板１３ｃ、３ｃ、１４ｃからなる底部が連設され、前記背面板１１、右側面板１、正面板１２、左側面板２、外背面板１３、外右側面板３、外正面板１４、外左側面板４を縦折目を介して筒状に折り立て、重合する折曲用背面板１１ａ、１３ａ、左側面板２、外左側面板４を貼着し、底板と蓋板とを横折目を介して折り曲げて形成される角筒状容器において、正面板１２の上部領域に外正面板１４にて被覆された振り出し口１７が形成され、前記正面板１２を挟んで両側折目ａ、ｂに沿って、前記折曲用背面板１１ａ、１３ａ下端の横折目と略同高部位置から正面板１２中間位置まで、各々縦切込線ｐ、ｐが設けられ、前記右側面板１の片外側折目ｇに沿って折曲用背面板１１ａ下端の横折目と略同高部位置から正面板１２中間位置まで縦切込線ｎが設けられ、前記左側面板２の片外側折目ｃに平行に該左側面板２領域側に、折曲用背面板１３ａ下端の横折目と略同高部位置から正面板１２中間位置まで、前記左側面板２と外左側面板４との貼着領域１８形成用の縦切込線ｑが設けられ、前記右側面板１と左側面板２には、前記各縦切込線ｐ、ｐの下端から各縦切込線ｎ、ｑの下端まで横方向に横切込線ｏ、ｏが、前記振り出し口１７内の上部と略同高部位置の前記縦切込線ｐ、ｐ上から横切込線ｏ、ｏ上まで下方に拡がる各々傾斜切込線１５ａ、１５ａが設けられて、前記縦切込線ｐ、横切込線ｏ、傾斜切込線１５ａによる各々切り抜き部１５、１５が形成され、前記正面板１２の横切込線ｏ、ｏより下部領域には該横切込線ｏ、ｏから連続して形成された繋ぎ部１２ｄが形成され、前記右側面板１、左側面板２、背面板１１、正面板１２、外背面板１３の各々領域上部には開封用蓋側板１ａ、２ａ、開封用蓋正面板１２ａ、折曲用背面板１１ａ、１３ａを備え、前記開封用蓋側板１ａ、２ａと開封用蓋正面板１２ａと折曲用背面板１１ａ、１３ａとからなる蓋部を、前記折曲用背面板１１ａ、１３ａ下端にある横折目をヒンジとして回動させて、前記正面板１２の繋ぎ部１２ｄを切り離すとともに、外正面板１４に被覆されている正面板１２の振り出し口１７を露呈させて開封し振り出しできるようにしたことを特徴とする振り出し容器である。
【０００８】
本発明の請求項３に係る発明は、上記請求項１又は２に係る振り出し容器において、前記繋ぎ部１２ｄは、各々前記横切込線ｏ、ｏの端部から連続する直線状、屈曲状、又は湾曲状のそれぞれ切込線１２ｃ、１２ｃが下向きに互いに交差する方向に傾斜して形成され
、その各々切込線の下端部は互いに交差乃至接続せずに僅かな間隙として形成され、各々下端部先端は、互いに水平方向に上下に対向する状態に形成されていることを特徴とする振り出し容器である。
【０００９】
本発明の請求項４に係る発明は、上記請求項１乃至３のいずれか１項に係る振り出し容器において、前記右側面板１と左側面板２の各々領域上部に備える各々開封用蓋側板１ａ、２ａを構成する前記各傾斜切込線１５ａ、１５ａの線上の途中に、突起部１５ｄを備え、前記右側面板１、左側面板２、正面板１２、外背面板１３の各上端部の開封用蓋側板１ａ、２ａ、開封用蓋正面板１２ａを持ち、前記折曲用背面板１１と外背面板１３の上端部の横折目をヒンジとして回動させて、前記正面板１２の繋ぎ部１２ｄを切り離すとともに、外正面板１４に被覆されている正面板１２の振り出し口１７を露呈させて開封した際に、前記突起部１５ｄが前記外正面板１４の上端縁１４ｂ上に突出し、前記開封用蓋側板１ａ、２ａ、開封用蓋正面板１２ａが係止して、振り出しできるようにしたことを特徴とする振り出し容器である。
【００１０】
本発明の請求項５に係る発明は、上記請求項４に係る振り出し容器において、前記突起部１５ｄの突起先端部は角丸形状であることを特徴とする振り出し容器である。
【発明の効果】
【００１１】
本発明の振り出し容器によれば、振り出し部である開封用の蓋側板と蓋正面板からなる蓋部を手指で把握して、折曲用の背面板と外背面板の上端部にある横折目をヒンジとして回動させ、その回動による上下方向の引張り力により、正面板の繋ぎ部を切り離すことができ、その切り離しによって、正面板は上下に二つに分離させることができ、その正面板上部にある粉体、粒状体等の固形状の内容物の振り出し口を外正面板の外側に露呈させて本発明の振り出し容器を開封することができる。
【００１２】
また本発明の振り出し容器によれば、繋ぎ部は、切込線１２ｃ、１２ｃ下端部が、互いに上下に対向する状態に形成され、切込線１２ｃ、１２ｃのそれぞれ下端部が、上下方向に対向しているため、正面板に対する左右方向の引張り力に対しては比較的強く、蓋部を手指で把握してヒンジを介して回動させた際における正面板に掛かる上下方向の引張り力により、上下方向に対向する切込線下端部による繋ぎ部を容易に切り離すことができる効果がある。
【００１３】
そのため、容器の振り出し部が繋ぎ目にて繋がっているような形式の振り出し容器において、その振り出し部である蓋部を回動させる振り出し行為を行う際に、ヒンジを介して蓋部を回動させるため、従来のように意に反して、繋ぎ部が切れずに回動できないという現象は解消される。また、振り出し容器が、紙製の容器の場合に、繋ぎ部が切れても、回動する力が蓋部（振り出し部）だけに集中して掛かって、蓋部が破れて、振り出し行為に支障をきたしたり、内容物振り出し用の振り出し口が破れたりする現象を解消することができる。
【図面の簡単な説明】
【００１４】
【図１】本発明の振り出し容器の一実施例におけるブランクシートの展開平面図。
【図２】本発明の振り出し容器のブランクシートを角筒状に折り曲げた状態の底面図。
【図３】本発明の振り出し容器の他の実施例におけるブランクシートの展開平面図。
【図４】本発明の振り出し容器の全体組み立て斜視図。
【図５】（ａ）は本発明の振り出し容器の一実施例における組み立て完成後の容器の全体側面図、（ｂ）はその開封された容器の全体側面図。
【図６】（ａ）は本発明の振り出し容器の他の実施例における組み立て完成後の容器の全体側面図、（ｂ）はその開封された容器の全体側面図。
【発明を実施するための形態】
【００１５】
本発明の請求項１に係る振り出し容器（一実施例）を、図１に示すブランクシートを用いて詳細に説明すれば、背面板１１、右側面板１、正面板１２、左側面板２と、前記背面板１１の外面に重合する外背面板１３、前記右側面板１の外面に重合する外右側面板３、前記正面板１２の外面に重合する外正面板１４、前記左側面板２の外面に重合する外左側面板４と、貼着板１６とが、各々平行な縦折目ｇ、ａ、ｂ、ｃ、ｄ、ｅ、ｆ、ｈを介して縦長に連設されている。
【００１６】
前記背面板１１と外背面板１３の各々上端部領域には、横折目ｉ、ｉを介して、折曲用背面板１１ａ、１３ａが連設されている。
【００１７】
前記右側面板１、正面板１２、左側面板２、折曲用背面板１３ａの各々上端には、前記折曲用背面板１１ａ、１３ａの上端と同位の横折目ｊを介して、各々蓋板１ｂ、１２ｂ、２ｂ、１３ｂが連設され、前記外背面板１３、外右側面板３、外正面板１４の各々下端には横折目ｋを介して、各々底板１３ｃ、３ｃ、１４ｃが連設されている。
【００１８】
背面板１１、右側面板１、正面板１２、左側面板２、外背面板１３、外右側面板３、外正面板１４、外左側面板４、貼着板１６の各下端部は、折目ｋと同じ高さになるように形成されていてもよいし、背面板１１、右側面板１、正面板１２、左側面板２の各下端部だけは、図示するように折目ｋよりも高位になるように短く形成されていてもよい。
【００１９】
外右側面板３と外左側面板４の各々上端は、横折目ｉの高さより上方に横折目ｊの高さまで半円形状など適宜な形状に突出した上端縁部ｍとなっている。外正面板１４の上端部１４ｂは横折目ｉと同じ高さに形成されている。
【００２０】
そして、図２の平面図に示すように、前記背面板１１、右側面板１、正面板１２、左側面板２、外背面板１３、外右側面板３、外正面板１４、外左側面板４、貼着板１６を、縦折目ｇ、ａ、ｂ、ｃ、ｄ、ｅ、ｆ、ｈを介して、それぞれ同じ方向に筒状に折り曲げることにより、角筒状体が得られる。
【００２１】
このようにして、筒状に折り曲げた前記角筒状体における互いに重なり合う前記背面板１１、外背面板１３と、折曲用背面板１１ａ、１３ａと、外背面板１３、貼着板１６とを接着材ｒ、ｓにて貼着（例えばサック貼り）して、図２の平面図に示すような角筒状体が完成する。
【００２２】
次に、図４に示すように、前記角筒状体を立体形状に立ち起こし、その右側面板１、正面板１２、左側面板２、折曲用背面板１３ａの各々上端にある蓋板１ｂ、１２ｂ、２ｂ、１３ｂからなる蓋上面部と、外背面板１３、外右側面板３、外正面板１４の各々下端にある底板１３ｃ、３ｃ、１４ｃからなる底下面部との何れかを、横折目ｊ、ｋを介して角筒状体の内側方向に直角に折り曲げてそれぞれを貼着して組み立てる。
【００２３】
その後、未貼着の蓋部又は底部の一方側から、錠剤、粒状物品等の内容物を充填した後に、前記未貼着の上面部又は底下面部を貼着して、角筒状体の上部と下部に、それぞれ蓋
部と底部とを組み立てることにより、角状六面体（例えば直方体形状）の本発明の振り出し容器が完成する。
【００２４】
本発明の振り出し容器において、図１に示すように、正面板１２の上部領域には、外正面板１４にて被覆される振り出し口１７が設けられ、右側面板１と左側面板２の各々両側折目ａ、ｇ、ｂ、ｃに沿って、又はそれら折目に平行に、折曲用背面板１１ａ、１３ａ下端の横折目ｉ、ｉと略同高部位置から、前記繋ぎ部１２ｄより下位の正面板１２中間位置まで、各々縦切込線ｐ、ｐ、ｎ、ｎが設けられ、前記右側面板１と左側面板２には、各縦切込線ｐ、ｐの下端から、縦切込線ｎ、ｎの下端まで横方向に、横切込線ｏ、ｏが設けられ、前記振り出し口１７内の上部と略同高部位置の前記縦切込線ｐ、ｐ上から、横切込線ｏ、ｏ上まで、下方に拡がる各々傾斜切込線１５ａが設けられている。
【００２５】
前記右側面板１と左側面板２には、前記縦切込線ｐ、横切込線ｏ、傾斜切込線１５ａにより、各々切り抜き部１５、１５（空間領域、図示するように正面板１２に対して対称形であってもよい）が形成されて、当該右側面板１、左側面板２、正面板１２の各々領域上部は、開封用蓋側板１ａ、２ａ、開封用蓋正面板１２ａを備えている。なお、図１中、切り抜き部１５の下端縁１５ｂは横切込線ｏ、ｏ線上にあり、右側面板１と左側面板２のそれぞれに形成される各々傾斜切込線１５ａの形状は、図１に示すような傾斜する直線形状である。なお、図１に示す各々傾斜切込線１５ａの形状は、図３に示す振り出し容器（他の実施例）のブランクシートに示す傾斜切込線１５ａのような傾斜する屈曲線形状であってもよい。
【００２６】
また、前記正面板１２の横切込線ｏ、ｏより下部領域には、繋ぎ部１２ｄが形成されていて、各々前記横切込線ｏ、ｏの端部から連続して、直線状、屈曲状、又は湾曲状のそれぞれ切込線１２ｃ、１２ｃが下向きに互いに交差するような方向に傾斜して形成され、その各々切込線の下端部は、互いに交差乃至、接続せずに、僅かな間隙として繋ぎ部１２ｄを残して刻切形成されている。本発明においては、繋ぎ部１２ｄの形態は特に限定されるものではないが、例えば切込線１２ｃ、１２ｃの各々下端部は、図示するように、互いに水平方向に上下に対向するように形成されていてもよいし、互いに左右に向き合うような状態に形成されていてもよく、その切込線の先端は、直線状、曲線状に対向する状態に形成されている。
【００２７】
図５（ａ）は、本発明振り出し容器の開封前の状態を説明する側面図、図５（ｂ）は、その開封された状態を説明する側面図であり、図５（ａ）に示す開封前の本発明の振り出し容器の前記右側面板１、左側面板２、背面板１１、正面板１２、外背面板１３の各上端部の開封用蓋側板１ａ、２ａ、開封用蓋正面板１２ａ、折曲用背面板１１ａ、１３ａとからなる蓋部は、図５（ｂ）に示すように開封後には、前記折曲用背面板１１ａ、１３ａのそれぞれ下端にある横折目ｉ、ｉ（ヒンジ）を介して所定角度θに回動させることができ、その回動力により正面板１２を、それに形成されている繋ぎ部１２ｄを切り離して、上下に二分して開封する。開封した際には、外正面板１４の内面側に存在する振り出し口１７は、外正面板１４の上端縁１４ｂ上方の外側に移動して露呈する。
【００２８】
図５（ａ）〜（ｂ）に示すように、右側面板１、左側面板２、正面板１２、外背面板１３の各上端部の開封用蓋側板１ａ、２ａ、開封用蓋正面板１２ａ、折曲用背面板１１ａ、１３ａからなる蓋部を手指で持ち、横折目ｉ、ｉを介して回動させ、正面板１２の繋ぎ部１２ｄを切り離し、正面板１２を上下部に二分して開封することにより、外正面板１４に被覆されている正面板１２上部領域の開封用蓋正面板１２ａに形成されている振り出し口１７を、外正面板１４の上端縁１４ｂから上外側に露呈させて、容器内に収容されている錠剤、粒状物品などの内容物を振り出し口１７から振り出すことができる。図中、振り出し口１７の位置は、外正面板１４の直前に両矢印にて示した。
【００２９】
本発明の請求項２に係る振り出し容器（他の実施例）を、図３に示すブランクシートを用いて以下に詳細に説明すれば、背面板１１、右側面板１、正面板１２、左側面板２と、前記背面板１１の外面に重合する外背面板１３、前記右側面板１の外面に重合する外右側面板３、前記正面板１２の外面に重合する外正面板１４、前記左側面板２の外面に重合する外左側面板４とが、各々平行な縦折目ｇ、ａ、ｂ、ｃ、ｄ、ｅ、ｆを介して、縦長に連設されていて、上記の一実施例における振り出し容器の貼着板１６を省略した形態となっている。
【００３０】
そして、図３に示す本発明の他の実施例の振り出し容器のブランクシートにおいて、左側面板２の片外側折目ｃに平行に、左側面板２領域側に、折曲用背面板１３ａ下端の横折目ｉと略同高部位置から、正面板１２中間位置まで、左側面板２と外左側面板４との貼着領域１８形成用の縦切込線ｑが設けられているものである。
【００３１】
そして、図３に示すブランクシート（図１に示す貼着板１６省略、貼着領域１８設置）を、図２の平面図に示すと同様に、背面板１１、右側面板１、正面板１２、左側面板２、外背面板１３、外右側面板３、外正面板１４、外左側面板４を、縦折目ｇ、ａ、ｂ、ｃ、ｄ、ｅ、ｆを介して、それぞれ同じ方向に筒状に折り曲げることにより、角筒状体が得られる。
【００３２】
このようにして筒状に折り曲げた前記角筒状体における互いに重なり合う前記左側面板２と、その左側面板２の折目ｃ側に形成されている貼着領域１８とを接着材にて貼着（例えばサック貼り）して、本発明の他の実施例の振り出し容器の角筒状体が完成する。
【００３３】
そして、上記の他の実施例における振り出し容器において、図３に示すように、右側面板１と、左側面板２には、前記各縦切込線ｐ、ｐの下端から各縦切込線ｎ、ｑの下端まで横方向に横切込線ｏ、ｏが設けられ、振り出し口１７内の上部と略同高部位置の前記縦切込線ｐ、ｐ上から、横切込線ｏ、ｏ上まで下方に拡がる各々傾斜切込線１５ａ、１５ａが設けられ、縦切込線ｐ、横切込線ｏ、傾斜切込線１５ａによる各々切り抜き部１５、１５（空間領域、正面板１２に対して対称形であってもよい）が形成されている。
【００３４】
上記本発明の他の実施例における振り出し容器の前記右側面板１、左側面板２、背面板１１、正面板１２、外背面板１３の各上端部の開封用蓋側板１ａ、２ａ、開封用蓋正面板１２ａ、折曲用背面板１１ａ、１３ａとからなる蓋部は、図６（ａ）〜（ｂ）に示すように、前記折曲用背面板１１ａ、１３ａ下端にある横折目ｉ、ｉ（ヒンジ）を介して所定角度θに回動させることができ、その回動力により正面板１２を、それに形成されている繋ぎ部１２ｄを切り離して上下に二分して開封することができる。
【００３５】
図６（ａ）〜（ｂ）に示すように、右側面板１、左側面板２、背面板１１、正面板１２、外背面板１３の各上端部の開封用蓋側板１ａ、２ａ、開封用蓋正面板１２ａ、折曲用背面板１１ａ、１３ａからなる蓋部を手指で持ち、横折目ｉ、ｉを介して回動させ、正面板１２の繋ぎ部１２ｄを切り離して、正面板１２を上下部に二分して開封することにより、外正面板１４に被覆されている正面板１２上部領域の開封用蓋正面板１２ａに形成されている振り出し口１７を、外正面板１４の上端縁１４ｂから、上外側に露呈させて、容器内に収容されている錠剤、粒状物品などの内容物を振り出し口１７から振り出すことができる。
【００３６】
本発明の振り出し容器は、図１、図３、図４に示すように、右側面板１と、左側面板２の各々領域上部に各々開封用蓋側板１ａ、２ａを備え、右側面板１と左側面板２のそれぞれ領域に形成される各々傾斜切込線１５ａの形状は、図１、図３、図４、図５（ａ）〜（
ｂ）、図６（ａ）〜（ｂ）に示すように傾斜する直線形状や、傾斜する屈曲線形状であるが、この側板１ａ、２ａを構成する各傾斜切込線１５ａ、１５ａの線上の途中、又はそのいずれか一方の傾斜切込線１５ａの線上の途中には、図３、図４、図６（ａ）〜（ｂ）に図示するように突起部１５ｄを備えている。
【００３７】
本発明の容器を開封する前には、図６（ａ）に示すように、この突起部１５ｄは、横折目ｉとを結ぶ直線ＬO が、外正面板１４の上端縁１４ｂと横折目ｉ（ヒンジ）とを結ぶ直線Ｌ1 （図中、略水平線とする）に対して、角度θだけ傾斜した位置にある。
【００３８】
本発明容器の蓋部は、図３、図４、図６（ａ）〜（ｂ）に示す右側面板１、左側面板２、背面板１１、正面板１２、外背面板１３の各上端部の開封用蓋側板１ａ、２ａ、開封用蓋正面板１２ａ、折曲用背面板１１ａ、１３ａから構成されるが、図６（ｂ）に示すように、この蓋部を手指で把握し、背面板１１と外背面板１３の上端部の折曲用背面板１１ａ、１３ａを連設している横折目ｉ、ｉをヒンジとして、蓋部を角度θ回動させて、前記正面板１２の繋ぎ部１２ｄをその回動応力にて切り離すとともに、外正面板１４に被覆されている正面板１２の振り出し口１７を、外正面板１４の上端縁１４ｂ上から露呈させて開封した際に、前記突起部１５ｄは、前記外正面板１４の上端縁１４ｂ上に乗り越え突出して、突起部１５ｄと上端縁１４ｂとが係合し、蓋部、及び振り出し口１７は、この位置にて一旦、係止、固定して、横折目ｉ、ｉによる容器素材（厚紙など）材質のベンド（剛性）による復元力にて元に戻るようなことがない状態を保持することができる。
【００３９】
この状態にて容器内の粒状、ドロップ状、錠剤状の内容物を振り出し口１７から容器外に振り出しすることができる。
【００４０】
図６（ｂ）において開封した蓋部を、図５（ａ）の状態に再度閉鎖する場合には、蓋部を手指で把握し、横折目ｉ、ｉをヒンジとして、蓋部を閉鎖方向に角度θ回動させることにより、外正面板１４の上端縁１４ｂ上に突出係止している突起部１５ｄを、その上端縁１４ｂに抗して上端縁１４ｂ下方に移動させ、この移動により正面板１２の振り出し口１７を、外正面板１４の内面側に引き込み外正面板１４にて被覆閉鎖することができる。
【００４１】
なお、前記突起部１５ｄの突起先端部は、図示するように鈍角、鋭角、直角などの角形状であってもよいし、角丸形状であってもよい。
【符号の説明】
【００４２】
１…右側面板
１ａ…開封用蓋側板
１ｂ…蓋板、１２ｂ、２ｂ、１３ｂ
２…左側面板
２ａ…開封用蓋側板
２ｂ…蓋板
３…外右側面板
３ｃ…蓋板
１ｄ…差込板
４…外左側面板
１１…背面板
１１ａ…折曲用背面板
１２…正面板
１２ａ…開封用蓋正面板
１２ｃ…切込線
１２ｄ…繋ぎ部
１３…外背面板
１３ａ…折曲用背面板
１３ｂ…蓋板
１３ｃ…蓋板
１４…外正面板
１４ｃ…蓋板
１５…切り抜き部
１６…貼着板
１７…振り出し口
１８…貼着用板
【図１】
2010222026.tif 000003
【図２】
2010222026.tif 000004
【図３】
2010222026.tif 000005
【図４】
2010222026.tif 000006
【図５】
2010222026.tif 000007
【図６】
2010222026.tif 000008